(57)【要約】【課題】振動機能を有する端末装置等であっても自立状態を維持可能な端末装置を提供する。【解決手段】端末装置は、振動機能を有する端末装置であって、端末装置本体側に収容され、端末装置本体を自立させるために収容された状態から展開可能に設けられた支持部材と、端末装置本体に対して支持部材が収容された状態である第１の状態と、端末装置本体から支持部材が展開された状態である第２の状態とを検知する検知部と、検知部の検知結果に基づいて振動機能を制御する制御部とを備える。【選択図】図５
2014042199.tif 000002
【特許請求の範囲】
【請求項１】
振動機能を有する端末装置であって、
端末装置本体側に収容され、端末装置本体を自立させるために収容された状態から展開可能に設けられた支持部材と、
前記端末装置本体に対して前記支持部材が収容された状態である第１の状態と、前記端末装置本体から前記支持部材が展開された状態である第２の状態とを検知する検知部と、
前記検知部の検知結果に基づいて前記振動機能を制御する制御部とを備える、端末装置。
【請求項２】
前記支持部材の一端側に設けられ、前記支持部材の一端側を回転中心として前記支持部材を開閉可能にするための係合部をさらに備える、請求項１記載の端末装置。
【請求項３】
前記制御部は、前記検知部が第２の状態であると検知した場合に前記振動機能をＯＦＦあるいは低下させる、請求項１または２記載の端末装置。
【請求項４】
振動機能を有する端末装置を装着可能な端末周辺機器であって、
前記端末周辺機器本体側に収容され、前記端末周辺機器本体を自立させるために収容された状態から展開可能に設けられた支持部材と、
前記端末周辺機器に対して前記支持部材が収容された状態である第１の状態と、前記端末周辺機器から前記支持部材が展開された状態である第２の状態とを検知する検知部と、
前記端末装置との間で通信するための通信部と、
前記検知部の検知結果に基づいて前記通信部を用いて前記端末装置に対して前記振動機能を制御するための制御信号を送信する通信制御部とを備える、端末周辺機器。
【請求項５】
前記支持部材の一端側に設けられ、前記支持部材の一端側を回転中心として前記支持部材を開閉可能にするための係合部をさらに備える、請求項４記載の端末周辺機器。
【請求項６】
前記端末装置は、前記制御信号に従って前記振動機能をＯＦＦあるいは低下させる、請求項４または５記載の端末周辺機器。
【請求項７】
前記端末周辺機器は、前記端末装置を載置するための載置部材をさらに備える、請求項４〜６のいずれか一項に記載の端末周辺機器。
【請求項８】
前記端末周辺機器は、前記端末装置本体を覆うように設けられた筐体をさらに備える、請求項４〜６のいずれか一項に記載の端末周辺機器。
【発明の詳細な説明】
【技術分野】
【０００１】
この発明は、端末装置および端末周辺機器に関し、自立することが可能な端末装置および端末周辺機器に関する。
【背景技術】
【０００２】
従来、端末装置の一つとして携帯電話機が知られている。携帯電話機では、小型化・軽量化が図られていると同時に、多機能化が進められている。この点で、カメラ機能が搭載されている携帯電話機では、携帯電話機を自立させて撮影することが可能なようにスタンドが設けられている場合もある。また、カメラに限られずテレビを見たり等する場合にもスタンドが用いられる場合もあり、種々の方式が提案されている（特許文献１〜７）。
【先行技術文献】
【特許文献】
【０００３】
【特許文献１】特開２０１０−１７１６９８号公報
【特許文献２】特開２００５−２０４００５号公報
【特許文献３】特開２００３−０３１９５９号公報
【特許文献４】特開平０９−３２１８５２号公報
【特許文献５】登録実用新案第３１３９１６９号公報
【特許文献６】特開２００８−１３１１５４号公報
【特許文献７】特開平０９−２１４５８８号公報
【発明の概要】
【発明が解決しようとする課題】
【０００４】
一方で、携帯電話機等の端末装置にスタンドを設けて自立させた場合にマナーモード等により振動機能がＯＮした場合には当該自立状態を維持できなくなり、携帯電話機等が倒れる可能性がある。携帯電話機等が倒れた場合には故障の原因や傷が生じる可能性があり望ましくない。
【０００５】
本発明は上記のような問題を解決するためになされたものであって、振動機能を有する端末装置等であっても自立状態を維持可能な端末装置および端末周辺機器を提供することを目的とする。
【課題を解決するための手段】
【０００６】
本発明のある局面に従う端末装置は、振動機能を有する端末装置であって、端末装置本体側に収容され、端末装置本体を自立させるために収容された状態から展開可能に設けられた支持部材と、端末装置本体に対して支持部材が収容された状態である第１の状態と、端末装置本体から支持部材が展開された状態である第２の状態とを検知する検知部と、検知部の検知結果に基づいて振動機能を制御する制御部とを備える。
【０００７】
好ましくは、支持部材の一端側に設けられ、支持部材の一端側を回転中心として支持部材を開閉可能にするための係合部をさらに備える。
【０００８】
好ましくは、制御部は、検知部が第２の状態であると検知した場合に振動機能をＯＦＦあるいは低下させる。
【０００９】
本発明のある局面に従う端末周辺機器は、振動機能を有する端末装置を装着可能な端末周辺機器であって、端末周辺機器本体側に収容され、端末周辺機器本体を自立させるために収容された状態から展開可能に設けられた支持部材と、端末周辺機器に対して支持部材が収容された状態である第１の状態と、端末周辺機器から支持部材が展開された状態である第２の状態とを検知する検知部と、端末装置との間で通信するための通信部と、検知部の検知結果に基づいて通信部を用いて端末装置に対して振動機能を制御するための制御信号を送信する通信制御部とを備える。
【００１０】
好ましくは、支持部材の一端側に設けられ、支持部材の一端側を回転中心として支持部材を開閉可能にするための係合部をさらに備える。
【００１１】
好ましくは、端末装置は、制御信号に従って振動機能をＯＦＦあるいは低下させる。
好ましくは、端末周辺機器は、端末装置を載置するための載置部材をさらに備える。
【００１２】
好ましくは、端末周辺機器は、端末装置本体を覆うように設けられた筐体をさらに備える。
【発明の効果】
【００１３】
振動機能を有する端末装置等であっても自立状態を維持可能である。
【図面の簡単な説明】
【００１４】
【図１】本実施の形態１に従う携帯電話機１の外観構成図である。
【図２】本実施の形態１に従う携帯電話機１の主な機能構成を示す概略的な機能ブロック図である。
【図３】本実施の形態１に従う携帯電話機１の本体が自立した状態を説明する図である。
【図４】本実施の形態１に従う携帯電話機１のスタンド２０の詳細について説明する図である。
【図５】本実施の形態１に従う携帯電話機１の振動部の制御について説明するフロー図である。
【図６】本実施の形態２に従う携帯フォルダ１００の外観構成図である。
【図７】本実施の形態２に従う携帯フォルダ１００に携帯電話機を装着した場合を説明する図である。
【図８】本実施の形態２に従う携帯フォルダおよび携帯電話機の主な機能構成を示す概略的な機能ブロック図である。
【図９】本実施の形態２に従う携帯フォルダの制御について説明するフロー図である。
【図１０】本実施の形態２に従う携帯電話機の制御について説明するフロー図である。
【図１１】本実施の形態２の変形例に従う携帯ジャケットの外観構成図である。
【図１２】本実施の形態２の変形例に従う携帯ジャケット２００に携帯電話機を装着した場合を説明する図である。
【図１３】本実施の別の形態に従う携帯電話機１のスタンド２０Ａの詳細について説明する図である。
【発明を実施するための形態】
【００１５】
以下、図面を参照しつつ、本実施の形態について説明する。以下の説明では、同一の部品には同一の符号を付してある。それらの名称および機能も同じである。したがって、それらについての詳細な説明は繰り返さない。
【００１６】
以下、実施の形態について図面を参照して詳しく説明する。以下の説明では、振動機能を備えたスマートフォンなどの携帯電話機（端末装置）を用いた例について説明する。
【００１７】
（実施の形態１）
［携帯電話機の外観構成］
図１は、本実施の形態１に従う携帯電話機１の外観構成図である。
【００１８】
図１を参照して、携帯電話機１は、筐体１０を備える。この筐体１０の一方の正面には、タッチパネルが大部分を占めて構成される。
【００１９】
タッチパネルは、表示部を覆うようにして設けられ、接触動作を検出する。表示部は、例えばＬＣＤ（Ｌｉｑｕｉｄ Ｃｒｙｓｔａｌ Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００２０】
タッチパネルは、操作面に対して接触する接触物の動作を検出することにより指示を受け付ける。接触物としては、例えばユーザの指やスタイラスペンなどが該当する。タッチパネル上で接触物の動作を検知する方法には、圧力の変化を感知する感圧式、静電気による電気信号を感知する静電式、その他の方法を適用することができる。接触物の動作は、接触が行われた位置を示す座標の情報で検出される。この情報は、例えばタッチパネルの短辺方向および長手方向の二軸上の座標値で表わされる。
【００２１】
図２は、本実施の形態１に従う携帯電話機１の主な機能構成を示す概略的な機能ブロック図である。
【００２２】
図２を参照して、携帯電話機１は、制御部４と、記憶部２と、入力部３と、振動部６と、検知部８とを含む。
【００２３】
制御部４は、主にＣＰＵ（Ｃｅｎｔｒａｌ Ｐｒｏｃｅｓｓｉｎｇ Ｕｎｉｔ）で構成されており、制御部４は、記憶部２に記憶された各種プログラムに基づき動作して、携帯電話機１の総括的な制御を行う。本例においては、一例として記憶部２に検知部８と協働して振動部６を制御するプログラムが格納されており当該プログラムを実行して後述のフローが実現される。
【００２４】
入力部３は、タッチパネルを含み、タッチパネルからの検知信号を入力位置の座標を示す情報として制御部４に出力する。本例においては、入力部３による指示により振動部６の機能を用いるか否かを設定可能であるものとする。例えば、マナーモード等により振動部６の機能をＯＮすることが可能であるものとする。
【００２５】
振動部６は、携帯電話機１を振動させる部位であり、携帯電話機１が例えばマナーモード等に設定されている場合には、機能をＯＮして着信音を出力せずに振動部６が携帯電話機１を振動させることにより着信をユーザに通知することが可能である。なお、機能がＯＦＦされた場合には、携帯電話機１を振動させない。
【００２６】
検知部８は、後述する携帯電話機１の本体を自立させるためのスタンド（支持部材）に関して、携帯電話機本体に対する状態を検知する。具体的には、携帯電話機本体に対してスタンドが収容された状態（第１の状態）と、携帯電話機本体に対して展開された状態（第２の状態）とのいずれの一方であるかを検知する。
【００２７】
ここで、収容された状態とは、携帯電話機本体の背面側にスタンドを納めるための凹み部が設けられていて当該凹み部にスタンドが納められている状態に限られず、凹み部が設けられていなくてもスタンドが携帯電話機本体と密着した状態（スタンドが閉じられている状態）、また、後述するが伸縮可能に設けられたスタンドが携帯電話機本体側に縮められた状態や、折り畳み可能に設けられたスタンドが携帯電話機本体側に折り畳まれた状態も含む概念である。
【００２８】
また、展開された状態とは、凹み部に納められているスタンドを取り出して開いた状態に限られず、携帯電話機本体と密着した状態（スタンドが閉じられている状態）から離間した（開いた）状態、また、伸縮可能に設けられたスタンドが縮められた状態から伸ばされた状態や、折り畳み可能に設けられたスタンドが折り畳まれた状態から解放して展開した状態も含む概念である。
【００２９】
以下においては、スタンドについて、収容された状態（第１の状態）から展開された状態（第２の状態）となる一例として、携帯電話機本体と密着して閉じた状態から開いた状態となる場合について主に説明する。
【００３０】
制御部４は、検知部８からの検知結果（第１の状態あるいは第２の状態）に基づいて振動部６を制御する。
【００３１】
図３は、本実施の形態１に従う携帯電話機１の本体が自立した状態を説明する図である。
【００３２】
図３を参照して、筐体１０の一方の正面の反対の背面側には、携帯電話機１を自立させるためのスタンド２０（支持部材）が設けられている。すなわち、スタンド２０の一端側は、筐体１０（携帯電話機本体）と係合されており、スタンド２０の一端側を回転中心として回動可能に設けられている。そして、一例としてユーザが筐体１０（携帯電話機本体）に対してスタンド２０を閉じた状態から開いた状態とすることが可能である。本例においては、スタンド２０が筐体１０（携帯電話機本体）に対して開いた状態で携帯電話機１の本体を自立させた状態が示されている。
【００３３】
図４は、本実施の形態１に従う携帯電話機１のスタンド２０の詳細について説明する図である。
【００３４】
図４を参照して、本例においては、携帯電話機１を側方側から見た図が示されている。ここで、スタンド２０の一端側は、携帯電話機本体と係合される係合部１２が設けられる。係合部１２は、スタンド２０を軸支し、一端側を回転中心として回動可能に構成する。また、ここでは、右側に拡大した図が示されている。ここでは、検知部８の構成が示されている。
【００３５】
具体的には、検知部８は、ホール素子８Ａと磁石８Ｂとを含む。ホール素子８Ａは、携帯電話機１の本体側に設けられ、磁石８Ｂは、スタンド２０に設けられる。スタンド２０が携帯電話機１に対して閉じた状態でる場合には、ホール素子８Ａと磁石８Ｂとは接触している（あるいは近接した状態にある）。一方、スタンド２０が携帯電話機１に対して開いた状態である場合には、ホール素子８Ａと磁石８Ｂとは離間している。
【００３６】
ホール素子８Ａは、磁石８Ｂにより形成される磁界を検出して、検出に応じた信号を出力する。したがって、磁石８Ｂが設けられたスタンド２０の位置に応じてホール素子８Ａの検出信号が変化する。すなわち、検知部８からの検出信号に従って、制御部４は、スタンド２０が携帯電話機本体に対して開いた状態か閉じた状態かを検出することが可能である。
【００３７】
図５は、本実施の形態１に従う携帯電話機１の振動部の制御について説明するフロー図である。
【００３８】
図５を参照して、制御部４は、検知部８からの検知結果に基づいて開いた状態であるかどうかを判断する（ステップＳ２）。具体的には、スタンド２０が携帯電話機本体から開いた状態であるかどうかを判断する。
【００３９】
ステップＳ２において、制御部４は、検知部８からの検知結果からスタンド２０が携帯電話機本体から開いた状態であると判断した場合（ステップＳ２においてＹＥＳ）には、振動部６の振動機能をＯＦＦする（ステップＳ４）。そして、処理を終了する（エンド）。
【００４０】
一方、ステップＳ２において、制御部４は、検知部８からの検知結果からスタンド２０が携帯電話機本体から開いた状態でない、すなわち、閉じた状態であると判断した場合（ステップＳ２においてＮＯ）には、振動部６の振動機能をＯＦＦせず、そのままの状態を維持する。そして、処理を終了する（エンド）。
【００４１】
当該処理により、スタンド２０が携帯電話機本体から開いた状態である場合には、振動部６の振動機能がＯＦＦされるため、自立した状態で振動することがなく携帯電話機が倒れることを防ぐことが可能である。すなわち、自立した状態を維持することが可能である。
【００４２】
なお、振動機能をＯＦＦした場合に、再び、スタンド２０が携帯電話機本体から閉じた状態に遷移した場合には、振動機能をＯＮするものとする。
【００４３】
なお、本例においては、振動機能をＯＦＦする場合について説明したが、例えば、振動機能として、複数段階に調整可能な場合（例えば、振動強、振動弱等）には、振動機能を低下（振動弱に設定）させるようにするようにしても良い。
【００４４】
（実施の形態２）
上記の実施の形態１においては、携帯電話機にスタンドが設けられている場合について説明した。一方で、近年、携帯電話機を装着可能な端末周辺機器が種々設けられている。
【００４５】
本実施の形態２においては、当該端末周辺機器にスタンドが設けられている構成について説明する。
【００４６】
図６は、本実施の形態２に従う携帯フォルダ１００の外観構成図である。
図６を参照して、携帯フォルダ１００は、携帯電話機を載置するための筐体１１０と、携帯フォルダ本体（筐体１１０）を自立させるためのスタンド１２０（支持部材）とを含む。すなわち、スタンド１２０の一端側は、回転中心として回動可能に設けられている。そして、一例としてユーザが筐体１１０に対してスタンド１２０を閉じた状態から開いた状態とすることが可能である。本例においては、スタンド１２０が筐体１１０に対して開いた状態で携帯フォルダの本体を自立させた状態が示されている。
【００４７】
なお、携帯フォルダ１００のスタンド１２０の詳細については図４で説明したのと同様であるものとする。
【００４８】
図７は、本実施の形態２に従う携帯フォルダ１００に携帯電話機を装着した場合を説明する図である。
【００４９】
図７を参照して、ここでは、携帯電話機１＃が携帯フォルダ１００の筐体１１０に載置されている場合が示されている。また、スタンド１２０が筐体１１０に対して開いた状態で携帯フォルダの本体を自立させた状態が示されている。なお、携帯電話機１＃は、携帯電話機１と異なりスタンドが設けられていないものとする。
【００５０】
この場合、携帯電話機の携帯フォルダ１００にスタンド１２０を設けて自立させた場合にマナーモード等により携帯電話機の振動機能がＯＮした場合には当該自立状態を維持できなくなり、携帯電話機等が倒れる可能性がある。携帯電話機等が倒れた場合には故障の原因や傷が生じる可能性があり望ましくない。
【００５１】
そこで、本実施の形態２においては、携帯フォルダ１００が自立した状態である場合には、携帯電話機の振動機能をＯＦＦする。
【００５２】
図８は、本実施の形態２に従う携帯フォルダおよび携帯電話機の主な機能構成を示す概略的な機能ブロック図である。
【００５３】
図８を参照して、携帯フォルダ１００は、検知部１２２と、通信部１２４と、制御部１２６とを含む。
【００５４】
検知部１２２は、携帯フォルダ１００の本体を自立させるためのスタンド１２０（支持部材）に関して、携帯フォルダ１００の本体に対する状態を検知する。具体的には、携帯フォルダ１００の本体に対してスタンドが閉じられた状態（第１の状態）と、携帯フォルダ１００の本体に対して開いた状態（第２の状態）とのいずれの一方であるかを検知する。
【００５５】
制御部１２６は、検知部１２２からの検知結果（第１の状態あるいは第２の状態）に基づいて通信部１２４を信号を出力する。
【００５６】
通信部１２４は、携帯電話機１＃の通信部９と通信可能に構成されており、制御部１２６からの信号を携帯電話機１＃に対して送信する。また、携帯電話機１＃からの信号を受信する。
【００５７】
携帯電話機１＃は、記憶部２と、入力部３と、制御部４と、振動部６と、通信部９とを含む。
【００５８】
制御部４は、主にＣＰＵ（Ｃｅｎｔｒａｌ Ｐｒｏｃｅｓｓｉｎｇ Ｕｎｉｔ）で構成されており、制御部４は、記憶部２に記憶された各種プログラムに基づき動作して、携帯電話機１＃の総括的な制御を行う。本例においては、一例として記憶部２に通信部９からの信号に基づいて振動部６を制御するプログラムが格納されており当該プログラムを実行して後述のフローが実現される。
【００５９】
入力部３は、タッチパネルを含み、タッチパネルからの検知信号を入力位置の座標を示す情報として制御部４に出力する。本例においては、入力部３による指示により振動部６の機能を用いるか否かを設定可能であるものとする。例えば、マナーモード等により振動部６の機能をＯＮすることが可能であるものとする。
【００６０】
振動部６は、携帯電話機１＃を振動させる部位であり、携帯電話機１＃が例えばマナーモード等に設定されている場合には、機能をＯＮして着信音を出力せずに振動部６が携帯電話機１を振動させることにより着信をユーザに通知することが可能である。なお、機能がＯＦＦされた場合には、携帯電話機１＃を振動させない。
【００６１】
図９は、本実施の形態２に従う携帯フォルダの制御について説明するフロー図である。
図９を参照して、制御部１２６は、検知部１２２からの検知結果に基づいて開いた状態であるかどうかを判断する（ステップＳ１２）。具体的には、スタンド１２０が携帯フォルダ本体から開いた状態であるかどうかを判断する。
【００６２】
ステップＳ１２において、制御部１２６は、検知部１２２からの検知結果からスタンド２０が携帯フォルダ本体から開いた状態であると判断した場合（ステップＳ１２においてＹＥＳ）には、自立状態であることを示す自立情報を携帯電話機１＃に送信する（ステップＳ１４）。
【００６３】
そして、制御部１２６は、通信部１２４を介して携帯電話機１＃から送信される自立情報を受信した旨を示す受信完了通知を受信したかどうかを判断する（ステップＳ１６）。
【００６４】
ステップＳ１６において、制御部１２６は、通信部１２４を介して携帯電話機１＃から受信完了通知を受信したと判断した場合（ステップＳ１６においてＹＥＳ）には、処理を終了する（エンド）。
【００６５】
一方、受信完了通知を受信していないと判断した場合（ステップＳ１６においてＮＯ）には、ステップＳ１４に戻る。そして、上記処理を繰り返す。
【００６６】
一方、ステップＳ１２において、制御部１２６は、検知部１２２からの検知結果からスタンド１２０が携帯フォルダ本体から開いた状態でない、すなわち、閉じた状態であると判断した場合（ステップＳ１２においてＮＯ）には、自立情報を送信せず、そのままの状態を維持する。そして、処理を終了する（エンド）。
【００６７】
図１０は、本実施の形態２に従う携帯電話機の制御について説明するフロー図である。
図１０を参照して、携帯電話機１＃の制御部４は、通信部９を介して外部からのデータの受信があったかどうかを判断する（ステップＳ２０）。当該データの受信があるまでステップＳ２０の状態を維持する。
【００６８】
ステップＳ２０において、制御部４は、通信部９を介してデータの受信が有ったと判断した場合（ステップＳ２０においてＹＥＳ）には、次に、携帯フォルダ１００から送信された自立情報を受信したかどうかを判断する（ステップＳ２２）。
【００６９】
ステップＳ２２において、制御部４は、通信部９を介して自立情報を受信したと判断した場合（ステップＳ２２においてＹＥＳ）には、通信部９を介して携帯フォルダ１００に自立情報を受信した旨を示す受信完了通知を送信する（ステップＳ２４）。
【００７０】
次に、制御部４は、振動部６の振動機能をＯＦＦする（ステップＳ２６）。
そして、処理を終了する（エンド）。
【００７１】
一方、ステップＳ２２において、制御部４は、通信部９を介して自立情報を受信していないと判断した場合（ステップＳ２２においてＮＯ）には、処理を終了する（エンド）。
【００７２】
当該処理により、携帯フォルダ本体からスタンド１２０が開いた状態で自立している場合には、携帯フォルダ１００から携帯電話機１＃に対して自立情報が送信される。そして、携帯電話機１＃は、当該自立情報を受信して振動部６の振動機能をＯＦＦする。これにより、携帯フォルダ１００が自立した状態で、携帯フォルダ１００に装着された携帯電話機１＃が振動することがなく携帯電話機が倒れることを防ぐことが可能である。すなわち、自立した状態を維持することが可能である。
【００７３】
なお、振動機能をＯＦＦした場合に、再び、スタンド１２０が携帯フォルダ本体から閉じた状態に遷移した場合には、振動機能をＯＮするものとする。
【００７４】
なお、本例においては、振動機能をＯＦＦする場合について説明したが、例えば、振動機能として、複数段階に調整可能な場合（例えば、振動強、振動弱等）には、振動機能を低下（振動弱に設定）させるようにするようにしても良い。
【００７５】
（実施の形態２の変形例）
上記の実施の形態２においては、携帯フォルダについて説明したが、携帯電話機を保護するための携帯ジャケットについても同様に適用可能である。
【００７６】
図１１は、本実施の形態２の変形例に従う携帯ジャケットの外観構成図である。
図１１を参照して、携帯ジャケット２００は、携帯電話機の本体を覆うように設けられた筐体２１０と、携帯ジャケット本体（筐体２１０）を自立させるためのスタンド２２０（支持部材）とを含む。すなわち、スタンド２２０の一端側は、回転中心として回動可能に設けられている。そして、一例としてユーザが筐体２１０に対してスタンド２２０を閉じた状態から開いた状態とすることが可能である。本例においては、スタンド２２０が筐体２１０に対して開いた状態で携帯ジャケットの本体を自立させた状態が示されている。
【００７７】
なお、携帯ジャケット２００のスタンド２２０の詳細については図４で説明したのと同様であるものとする。
【００７８】
図１２は、本実施の形態２の変形例に従う携帯ジャケット２００に携帯電話機を装着した場合を説明する図である。
【００７９】
図１２を参照して、ここでは、携帯電話機１＃が携帯ジャケット２００の筐体２１０に収納されている場合が示されている。また、スタンド２２０が筐体２１０に対して開いた状態で携帯ジャケットの本体を自立させた状態が示されている。
【００８０】
この場合、携帯電話機の携帯ジャケット２００にスタンド２２０を設けて自立させた場合にマナーモード等により携帯電話機の振動機能がＯＮした場合には当該自立状態を維持できなくなり、携帯電話機等が倒れる可能性がある。携帯電話機等が倒れた場合には故障の原因や傷が生じる可能性があり望ましくない。
【００８１】
そこで、本実施の形態２においては、携帯ジャケット２００が自立した状態である場合には、携帯電話機の振動機能をＯＦＦする。
【００８２】
携帯ジャケット２００および携帯電話機１＃に含まれる機能構成については、図８で説明したのと同様である。そして、図９および図１０で説明したのと同様の方式に従って、携帯ジャケット本体からスタンド２２０が開いた状態で自立している場合には、携帯ジャケット２００から携帯電話機１＃に対して自立情報が送信される。そして、携帯電話機１＃は、当該自立情報を受信して振動部６の振動機能をＯＦＦする。これにより、携帯ジャケット２００が自立した状態で、携帯ジャケット２００に装着された携帯電話機１＃が振動することがなく携帯電話機が倒れることを防ぐことが可能である。すなわち、自立した状態を維持することが可能である。
【００８３】
なお、ここでは、端末周辺機器として、携帯フォルダや、携帯ジャケットは一例であり、スタンドが設けられた他の端末周辺機器についても同様に適用可能である。
【００８４】
なお、上記においては、スタンドについて、収容された状態（第１の状態）から展開された状態（第２の状態）となる一例として、携帯電話機等本体と密着して閉じた状態から開いた状態となる場合について主に説明したが当該場合に限られない。例えば、伸縮可能に設けられたスタンドが携帯電話機等本体側に縮められた状態から伸ばされた状態とした場合にも同様に適用可能である。
【００８５】
図１３は、本実施の別の形態に従う携帯電話機１のスタンド２０Ａの詳細について説明する図である。
【００８６】
図１３を参照して、ここでは、実施の形態１で説明したスタンド２０の代わりに携帯電話機１に収縮可能にスタンド２０Ａが設けられている場合が示されている。また、携帯電話機１本体側に伸縮状態を判断する検知部８Ｃが設けらており、スタンド２０Ａを伸ばすことにより例えば機構的なスイッチがＯＮして検知部８Ｃは、伸びた状態を検出して検出信号を制御部４に出力する。また、逆にスタンド２０Ａを縮ませることにより例えば機構的なスイッチがＯＦＦして検知部８Ｃは、縮んだ状態を検出して検出信号を制御部４に出力する。制御部４は、検出信号を受けて上記と同様に自立した状態か否かを判断して携帯電話機の振動機能をＯＦＦすることが可能である。
【００８７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８８】
１，１＃  携帯電話機、２  記憶部、３  入力部、４，１２６  制御部、６  振動部、８，１２２  検知部、８Ａ  ホール素子、８Ｂ  磁石、９，１２４  通信部、１０，１１０，２１０  筐体、１２  係合部、２０，１２０，２２０  スタンド、１００  携帯フォルダ、２００  携帯ジャケット。
【図１】
2014042199.tif 000003
【図２】
2014042199.tif 000004
【図３】
2014042199.tif 000005
【図４】
2014042199.tif 000006
【図５】
2014042199.tif 000007
【図６】
2014042199.tif 000008
【図７】
2014042199.tif 000009
【図８】
2014042199.tif 000010
【図９】
2014042199.tif 000011
【図１０】
2014042199.tif 000012
【図１１】
2014042199.tif 000013
【図１２】
2014042199.tif 000014
【図１３】
2014042199.tif 000015